(57)【要約】【課題】  遊技機の表示装置の表示機能を妨げることなく、簡易な構成で紙幣識別装置の識別機能をも確保することができる装置を提供する。【解決手段】  本発明にかかるディスプレイ紙幣識別装置１は、表示装置１０と紙幣識別装置２０の双方を一つの筐体４に一体的に備えている。また、その紙幣識別装置２０の紙幣投入口２１がその筐体４において表示部１１と同じ接客面側に設けられているため、遊技者がパチンコ球を入手する際に、紙幣を誤って隣接するパチンコ機２の紙幣投入口２１に投入することもない。また、その紙幣識別装置２０によって表示部１１の表示機能が妨げられることもなく、ホール店員からもその表示内容を容易に確認することができる。【選択図】  図２
2005124781.tif 000002
【特許請求の範囲】
【請求項１】
遊技機の上部幕板に設けられた一つの筐体に、
前記遊技機の動作情報を点滅及び点灯の少なくとも一方により表示可能な表示部と、
遊技媒体の貸出機構につながる紙幣投入口と、
前記紙幣投入口から投入された紙幣の真偽を識別する紙幣識別部と、
前記紙幣を前記紙幣識別部を経由させて、真と判定されたものを所定の収容部に搬送する搬送機構と、
が一体に設けられ、
前記表示部と前記紙幣投入口が前記筐体の接客面に配置されたことを特徴とする遊技機用ディスプレイ紙幣識別装置。
【請求項２】
前記表示部が、前記筐体の接客面において、前記紙幣投入口と同一面上又はより手前側面上に設けられたことを特徴とする請求項１記載の遊技機用ディスプレイ紙幣識別装置。
【請求項３】
前記表示部とその表示態様を制御する表示制御部を含む表示装置と、前記紙幣識別部と前記収容部を含む紙幣識別装置とが、前記筐体内で前後して設けられるとともに、前記筐体が前後に分割可能に構成され、
前記筐体を前後に分割することにより前記収容部を外部に開放し、収容された紙幣を取り出し可能に構成されたことを特徴とする請求項１記載の遊技機用ディスプレイ紙幣識別装置。
【請求項４】
前記収容部が、前記遊技機の本体内部に配設され、
前記搬送機構が、前記筐体の背面に設けられた送出口を経由して前記収容部に連続して設けられ、前記紙幣識別部を通過した紙幣を前記送出口を介して前記収容部に搬送するように構成されたことを特徴とする請求項１記載の遊技機用ディスプレイ紙幣識別装置。
【発明の詳細な説明】
【技術分野】
【０００１】
本発明は、パチンコ機等の遊技機に設置され、その遊技機の動作状態等を表示する表示装置、及びその遊技媒体の貸出機に適用され、投入された紙幣を識別して収納する紙幣識別装置に関する。
【背景技術】
【０００２】
従来、パチンコホールなどの遊技場においては、遊技機上部の固定式幕板に設置される表示装置と紙幣識別装置とは別々に設置されていた（例えば特許文献１）。図５は、このようなパチンコ機を複数備える島の一例を表す外観図である。
【０００３】
同図に示すように、各パチンコ機１０２の上部には固定式幕板１０３が固定されており、この固定式幕板１０３の前面に、対応するパチンコ機１０２の動作状態やそれに伴う大当たりやアラーム等のメッセージが表示される表示装置１０４が設けられている。
【０００４】
また、隣接するパチンコ機１０２の中間位置にはパチンコ球等の遊技媒体の貸出機が配置され、隣接する表示装置１０４の間に、この貸出機に適用される紙幣識別装置１０５が設置されている。遊技者は、この紙幣識別装置１０５の紙幣投入口から紙幣を投入して遊技媒体を取得し、ゲームを開始又は継続する。
【特許文献１】特開平７−１１２０６８号公報
【発明の開示】
【発明が解決しようとする課題】
【０００５】
しかしながら、上述した従来構成においては、紙幣の収納部を有する紙幣識別装置１０５の設置場所は限られたスペースに設けるしかなく、上述のようにパチンコ機１０２上部の表示装置１０４の横に設置されていると、ホール店員からみてこの表示装置１０４が紙幣識別装置１０５に隠れてしまい、遊技機の動作状態やアラーム表示を確認する際の妨げになるという問題があった。
【０００６】
また、上述のように紙幣識別装置１０５が隣接するパチンコ機１０２の中間に位置すると、その左右のパチンコ機１０２でプレイする遊技者のためにその紙幣識別装置１０５がどちらの遊技者に使用可能なものかを表示する必要があり、取り扱いが面倒であるといった問題があった。
【０００７】
本発明はこのような点に鑑みてなされたものであり、遊技機の表示装置の表示機能を妨げることなく、簡易な構成で紙幣識別装置の識別機能をも確保することができる装置を提供することを目的とする。
【課題を解決するための手段】
【０００８】
本発明では上記問題を解決するために、遊技機の上部幕板に設けられた一つの筐体に、前記遊技機の動作情報を点滅及び点灯の少なくとも一方により表示可能な表示部と、遊技媒体の貸出機構につながる紙幣投入口と、前記紙幣投入口から投入された紙幣の真偽を識別する紙幣識別部と、前記紙幣を前記紙幣識別部を経由させて、真と判定されたものを所定の収容部に搬送する搬送機構と、が一体に設けられ、前記表示部と前記紙幣投入口が前記筐体の接客面に配置されたことを特徴とする遊技機用ディスプレイ紙幣識別装置が提供される。
【０００９】
尚、ここでいう「接客面」とは、筐体が遊技機の上部幕板に取り付けられた際に、その遊技機の遊技者に対面する側の面をいう。また、「収容部」については、筐体内に設けられていてもよいし、筐体外の遊技機内部に設けられ、搬送機構によってそこに紙幣を搬送するようにしてもよい。
【００１０】
このような遊技機用ディスプレイ紙幣識別装置によれば、実質的に一つの筐体に表示部と紙幣識別部が設けられるため、従来の表示装置と紙幣識別装置の双方の機能を一つの装置で実現することができる。
【００１１】
また、表示部と紙幣識別部の紙幣投入口が共に筐体の接客面に配置されているため、その紙幣投入口が該当する遊技機のものであることが一目瞭然となる。
この場合、例えば筐体の接客面が凹凸形状など平面ではないような場合には、表示部が、筐体の接客面において紙幣投入口と同一面上又はより手前側面上に設けられるようにするとよい。
【００１２】
このように構成すれば、紙幣投入口の部分によって表示部の視認性が妨げられることがなく、表示部としての機能を確保することができる。
ここで、紙幣の収容部を同じ筐体内に設けた構成としては、例えば、表示部とその表示態様を制御する表示制御部を含む表示装置と、紙幣識別部と収容部を含む紙幣識別装置とが、上記筐体内で前後して設けられ、その筐体が前後に分割可能に構成されたものが考えられる。すなわち、表示装置を手前側（遊技者側）に設けて筐体の前面に設置された表示部を制御し、投入された紙幣については後方の紙幣識別装置に収容する。そして、集金時に筐体を前後に分割することにより収容部を外部に開放させ、収容された紙幣を取り出すようにしてもよい。この分割の態様については、例えばヒンジを介して筐体の前部を回動させて開放するものや、その前部そのものを取り外し可能とするものなど様々なものが考えられる。
【００１３】
このように紙幣の収納部を含めた紙幣識別装置を同じ筐体内に集約して搬送機構を短くすることで、装置全体を簡易かつコンパクトに構成することができ、また低コストに実現することができる。また、筐体の前部を開放するだけで収容部の紙幣を取り出すことができるため、取り扱いも容易である。さらに、収容部が遊技機の上部幕板に取り付けられて周囲からの視認性が良いため、収容部が悪意で開放されることを防止できるなど防犯効果もある。
【００１４】
また、紙幣の収容部を筐体外部に設けた構成としては、例えば収容部を遊技機の本体内部に配設したものが考えられる。この場合、搬送機構が、筐体の背面に設けられた送出口を経由して収容部に連続して設けられ、紙幣識別部を通過した紙幣を送出口を介して収容部に搬送する。
【００１５】
このように収容部を筐体の外部に設置することで、筐体ひいては当該遊技機用ディスプレイ紙幣識別装置をコンパクトに構成することができる。
【発明の効果】
【００１６】
本発明の遊技機用ディスプレイ紙幣識別装置によれば、従来の表示装置と紙幣識別装置の双方の機能を兼ね備えた装置が、一つの筐体に集約されるという簡易な構成で実現される。
【００１７】
また、その紙幣識別部の紙幣投入口がその筐体において表示部と同じ接客面側に設けられているため、紙幣投入口がどの遊技機に対応するものかが容易に分かる。その結果、遊技者が遊技媒体を入手する際に、紙幣を誤って隣接する遊技機の紙幣投入口に投入することを防止することができる。
【００１８】
さらに、紙幣識別部が表示部が設けられた筐体の内部に設けられ、その紙幣投入口が表示部と同じ接客面に設けられているため、その紙幣識別部によって表示部の表示機能が妨げられることもなく、ホール店員からもその表示内容を容易に確認することができる。
【発明を実施するための最良の形態】
【００１９】
以下、本発明の実施の形態を図面に基づいて詳細に説明する。
［第１の実施の形態］
まず、本発明の第１の実施の形態について説明する。尚、本実施の形態は、本発明の遊技機用ディスプレイ紙幣識別装置（以下、単に「ディスプレイ紙幣識別装置」という）をパチンコ機に適用したものであり、図１はそのパチンコ機の外観を表す正面図であり、図２（Ａ）はその平面図であり、図２（Ｂ）はその側面図である。さらに、図３は、ディスプレイ紙幣識別装置の動作を表す説明図である。尚、本実施の形態においては、説明の便宜上、図１における図中手前側を前側，図中奥側を後側と表現することがある。
【００２０】
図１及び図２に示すように、本実施の形態のディスプレイ紙幣識別装置１は、各パチンコ機２毎に設けられ、パチンコ機２の上部の固定式幕板３に設置されている。尚、同図においてはパチンコ機２を一台のみ表示しているが、本発明が適用されるパチンコホールの島には、図５に示したように同様のパチンコ機２が複数整列して設けられている。
【００２１】
このディスプレイ紙幣識別装置１は、パチンコ機２の大当たりや故障等のアラームなどの動作情報や遊技者へのメッセージ情報を、複数のＬＥＤによる点滅及び点灯により表示する表示装置１０と、パチンコ球の貸出しのために遊技者により投入された紙幣を識別して収容する紙幣識別装置２０とを一つの筐体４に組み込んで構成されている。筐体４は、前面側に向かって断面がやや小さくなる略長方体形状をなし、図３（Ｂ）にも示すように、その前後方向ほぼ中央位置にてヒンジ４ａを介して前後に分割可能となっている。そして、分割された前側部に表示装置１０が組み込まれ、後側部に紙幣識別装置２０が組み込まれている。
【００２２】
筐体４の前面（接客面）はフラットに形成されており、その中央に複数のＬＥＤを配列した表示部１１が設けられ、その表示部１１の直下に呼び出しスイッチ１２が設けられている。遊技者は打ち止めやパチンコ球の球切れが生じたときにこの呼び出しスイッチ１２を押してホール店員を呼び出すことができる。また、筐体４の前面の片側端部には紙幣投入口２１が設けられている。
【００２３】
表示装置１０は、所定の信号線を介してパチンコ機２の本体に設けられた制御部，各種センサ・スイッチ群，上記呼び出しスイッチ１２に接続された表示制御部１３を有し、入力信号の種類に応じて表示部１１の表示態様を制御する。
【００２４】
また、紙幣識別装置２０は、紙幣投入口２１から投入された紙幣の真偽を識別する紙幣識別部２２と、紙幣を紙幣識別部２２を経由させて真と判定されたものを順次搬送する搬送機構２３と、搬送された紙幣を収容する収容部２４と、これら紙幣識別部２２からの出力信号を処理するとともに搬送機構２３及び収容部２４を駆動するアクチュエータを制御する制御部２５とを備える。制御部２５は、所定の信号線を介してパチンコ機２の本体に設けられた制御部にも接続されており、紙幣識別部２２で紙幣が真と判定された場合にその旨と金種を表す信号を出力してパチンコ機２内部の貸出機を動作させ、パチンコ台に設けられた受け皿に対応する数のパチンコ球を排出させる。また、紙幣識別部２２で紙幣が偽と判定された場合には、搬送機構２３を逆転動作させて紙幣投入口２１から返却させたりする。尚、紙幣の収容は、プッシャ板を待機状態から押し込むことにより紙幣を一枚ずつ収容部２４へ収容させるプッシャ機構２６により行われるが、本実施の形態においてはそのプッシャ機構２６について公知の技術を適用するため、その構造及び動作の説明については省略する。
【００２５】
次に、ディスプレイ紙幣識別装置１の動作及び使用方法の例を、図３に基づいて説明する。同図（Ａ）はその紙幣収容動作を表し、同図（Ｂ）及び（Ｃ）はその紙幣取出動作を表している。
【００２６】
同図（Ａ）に示すように、紙幣Ｍが紙幣投入口２１から投入されると、その紙幣投入口２１近傍に設けられた図示しない感知センサによりこれが感知され、搬送機構２３が駆動される。そして、紙幣Ｍは、紙幣識別部２２にて真であると判定されると、そのまま収容部２４に対向する待機位置まで搬送され、プッシャ機構２６により一枚ずつ順次収容部２４へ押し込まれて積載収納される。一方、紙幣識別部２２にて偽券であると判定されると、受入を拒否され、紙幣投入口２１を介して返却される。
【００２７】
そして、店員が紙幣Ｍを回収する際には、同図（Ｂ）及び（Ｃ）に示すように、図示しない開放用のキーを用いて筐体４を開放する。このとき、表示装置１０が組み込まれた前側部がヒンジ４ａを介して前方に回動し、紙幣識別装置２０側の収容部２４を外部に露出させられる。そして、その収容部２４の前面に設けられた図示しない紙幣取出口を開放することにより紙幣Ｍを取り出すことができる。
【００２８】
以上に説明したように、本実施の形態のディスプレイ紙幣識別装置１は、表示装置１０と紙幣識別装置２０の双方を備えており、両装置の機能を一つの筐体４内に集約し、簡易な構成でこれを実現している。
【００２９】
また、その紙幣識別装置２０の紙幣投入口２１がその筐体４において表示部１１と同じ接客面側に設けられているため、遊技者がパチンコ球を入手する際に、紙幣Ｍを誤って隣接するパチンコ機２の紙幣投入口２１に投入することもない。また、その紙幣識別装置２０によって表示部１１の表示機能が妨げられることもなく、ホール店員からもその表示内容を容易に確認することができる。
【００３０】
［第２の実施の形態］
次に、本発明の第２の実施の形態について説明する。図４は、本実施の形態にかかるディスプレイ紙幣識別装置の構成を表す平面図である。尚、本実施の形態において上記第１の実施の形態と同様の構成については同一の符号を付すなどしてその説明を省略する。
【００３１】
図４に示すように、本実施の形態のディスプレイ紙幣識別装置２０１においては、紙幣Ｍの収容部が筐体２０４の外部、すなわちパチンコ機２の本体内部に設けられており、搬送機構２２３が、筐体２０４の背面に設けられた送出口２０５を経由してその収容部に連続して設けられている。紙幣識別部２２を通過した紙幣Ｍは、その送出口２０５を介して筐体２０４の背面に設けられた搬送路２２６を通って収容部に搬送されるようになっている。
【００３２】
従って、紙幣識別装置２２０の内部には収容部はなく、紙幣識別部２２とこの紙幣識別部２２からの出力信号を処理するとともに搬送機構２２３を駆動するアクチュエータを制御する制御部２２５が設けられている。制御部２２５は、所定の信号線を介してパチンコ機２の本体に設けられた制御部にも接続されており、紙幣識別部２２で紙幣Ｍが真と判定された場合にその旨と金種を表す信号を出力してパチンコ機２内部の貸出機を動作させ、パチンコ台に設けられた受け皿に対応する数のパチンコ球を排出させる。また、紙幣識別部２２で紙幣Ｍが偽と判定された場合には、搬送機構２２３を逆転動作させて紙幣投入口２１から返却させたりする。
【００３３】
パチンコ機２の本体内部には、搬送された紙幣Ｍを一枚ずつ収容部へ収容させるプッシャ機構が設けられている。
以上に説明したように、本実施の形態のディスプレイ紙幣識別装置２０１では、収容部をパチンコ機２の本体側に設置した。このため、図４には特に示されていないが、筐体２０４の前後方向の大きさを小さくしてコンパクトに構成することもできる。
【００３４】
また、その紙幣投入口２１については、筐体２０４の表示部１１と同じ接客面側に設けたため、遊技者が紙幣投入口２１を間違えることもなく、表示部１１の表示機能が妨げられることもない。
【００３５】
以上、本発明の好適な実施の形態について説明したが、本発明はその特定の実施の形態に限定されるものではなく、本発明の精神の範囲内での変化変形が可能であることはいうまでもない。
【００３６】
例えば、上記第１の実施の形態では、表示装置１０と紙幣識別装置２０とを筐体４内の前後で分割可能に構成した例を示したが、例えばこれらが分割されずに左右に配置される態様とし、単に筐体の前部を開放することにより紙幣識別装置の収納部から紙幣を取り出せるような構成としてもよい。
【００３７】
また、上記各実施の形態では、本発明の遊技機用ディスプレイ紙幣識別装置をパチンコ機に適用した例を示したが、スロットルマシンその他の遊技機に適用することもできる。
【産業上の利用可能性】
【００３８】
例えば、紙幣識別部が筐体内ではなく、筐体の背面近傍のパチンコ機本体内に設けられた構成であってもよい。
【図面の簡単な説明】
【００３９】
【図１】第１の実施の形態にかかるディスプレイ紙幣識別装置を含むパチンコ機の外観を表す正面図である。
【図２】第１の実施の形態のディスプレイ紙幣識別装置の平面図及び側面図である。
【図３】第１の実施の形態のディスプレイ紙幣識別装置の動作を表す説明図である。
【図４】第２の実施の形態のディスプレイ紙幣識別装置の構成を表す平面図である。
【図５】従来の遊技機を複数備える島の一例を表す外観図である。
【符号の説明】
【００４０】
１，２０１  ディスプレイ紙幣識別装置
２  パチンコ機
３  固定式幕板
４，２０４  筐体
４ａ  ヒンジ
１０  表示装置
１１  表示部
１２  呼び出しスイッチ
１３  表示制御部
２０，２２０  紙幣識別装置
２１  紙幣投入口
２２  紙幣識別部
２３，２２３  搬送機構
２４  収容部
２０５  送出口
２２６  搬送路
Ｍ  紙幣
【図１】
2005124781.tif 000003
【図２】
2005124781.tif 000004
【図３】
2005124781.tif 000005
【図４】
2005124781.tif 000006
【図５】
2005124781.tif 000007